【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
ブロードキャスト・ルータであって、
前記ブロードキャスト・ルータにデータを入力する複数の入力カードと、
前記ブロードキャスト・ルータから前記データを出力する複数の出力カードと、
少なくとも一つのプログラマブル・デバイスと、
第一の機能セットを実行するように前記少なくとも一つのプログラマブル・デバイスを構成するための構成情報を格納する構成制御カードと、を備え、
前記構成制御カードは、前記ブロードキャスト・ルータの機能性を変更するために、取り外して、前記第一の機能セットとの違いを有する第二の機能セットを実行するように前記少なくとも一つのプログラマブル・デバイスを構成するための他の構成情報を格納する少なくとも一枚の他の構成制御カードと交換するのに適している、ブロードキャスト・ルータ。
【請求項２】
前記ブロードキャスト・ルータは、スイッチ・ポイントを利用し、
前記複数の入力カードによって受信した前記データは、入力ストリームを含み、
前記一つ以上の機能性は、前記スイッチ・ポイントでのフェーディングと、代替入力ストリームの受信と、リモート・エラー・モニタリングと、信号の混合と、ディジタル・シグナル・プロセッサ（ＤＳＰ）機能の変更および有効化の少なくとも一方と、計測と、ルータ・サイズの変更との少なくとも一つを備える、
請求項１記載のブロードキャスト・ルータ。
【請求項３】
前記構成情報は、フィールド・プログラマブル・ゲート・アレイ（ＦＰＧＡ）用の構成データと、ＦＰＧＡおよびその他のカスタム集積回路（ＩＣ）の少なくとも一方においてロジックの有効化および無効化の少なくとも一方を行うチェックサムおよびコードの少なくとも一方と、前記ブロードキャスト・ルータ内のＣＰＵに基づく状態機械の異なる機能性の有効化および無効化の少なくとも一方を行うチェックサムおよびコードの少なくとも一方と、前記ブロードキャスト・ルータ内のＣＰＵに基づくシステムの異なる機能性の有効化および無効化の少なくとも一方を行う実行可能コードとの少なくとも一つを備える、請求項１記載のブロードキャスト・ルータ。
【請求項４】
前記違いは、少なくとも一つの新機能を追加することと、少なくとも一つの既存機能を除去することとの少なくとも一方に関与する、請求項１記載のブロードキャスト・ルータ。
【請求項５】
前記少なくとも一つのプログラマブル・デバイスは、前記複数の入力カードと前記複数の出力カードとの少なくとも一方に配置される、請求項１記載のブロードキャスト・ルータ。
【請求項６】
前記複数の入力カードからの前記データを受信し、前記ブロードキャスト・ルータ内での転送用に前記データを配置する拡張カードと、
前記ブロードキャスト・ルータ内での後のルート指定用に前記複数の入力カードからの前記データを受信するマトリクス・カードと、を備える、請求項１記載のブロードキャスト・ルータ。
【請求項７】
前記拡張カードと前記マトリクス・カードとの少なくとも一方は、前記データの入力／出力割り当てを変更するサポート・プロトコルを供給する、請求項６記載のブロードキャスト・ルータ。
【請求項８】
前記拡張カードと前記マトリクス・カードとは、同じカード上で実施される、請求項６記載のブロードキャスト・ルータ。
【請求項９】
前記少なくとも一つのプログラマブル・デバイスは、前記拡張カードと前記マトリクス・カードとの少なくとも一方に配置される、請求項６記載のブロードキャスト・ルータ。
【請求項１０】
更に、前記データの入力／出力割り当てを変更するサポート・プロトコルを供給する制御カードを備える、請求項１記載のブロードキャスト・ルータ。
【請求項１１】
前記少なくとも一つのプログラマブル・デバイスは、少なくとも前記制御カードに配置される、請求項６記載のブロードキャスト・ルータ。
【請求項１２】
前記構成情報と前記他の構成情報との少なくとも一方の少なくとも一部は、暗号化される、請求項１記載のブロードキャスト・ルータ。
【請求項１３】
前記構成制御カードは、前記少なくとも一つのプログラマブル・デバイスの構成を開始するためのユーザ入力を受信するユーザ入力デバイスを備える、請求項１記載のブロードキャスト・ルータ。
【請求項１４】
複数の入力カードと複数の出力カードと少なくとも一つのプログラマブル・デバイスとを少なくとも有するブロードキャスト・ルータの機能性を変更する方法であって、
前記ブロードキャスト・ルータへの挿入用で、第一の機能セットを実行するように前記少なくとも一つのプログラマブル・デバイスを構成するための構成情報を格納する交換可能構成制御カードを提供するステップを備え、
前記構成制御カードは、前記ブロードキャスト・ルータの機能性を変更するために、取り外して、前記第一の機能セットとの違いを有する第二の機能セットを実行するように前記少なくとも一つのプログラマブル・デバイスを構成するための他の構成情報を格納する少なくとも一枚の他の構成制御カードと交換するのに適している、前記方法。
【請求項１５】
前記ブロードキャスト・ルータは、スイッチ・ポイントを利用し、
前記複数の入力カードによって受信した前記データは、入力ストリームを含み、
前記一つ以上の機能性は、前記スイッチ・ポイントでのフェーディングと、代替入力ストリームの受信と、リモート・エラー・モニタリングと、信号の混合と、ディジタル・シグナル・プロセッサ（ＤＳＰ）機能の変更および有効化の少なくとも一方と、計測と、ルータ・サイズの変更との少なくとも一つを備える、請求項１４記載の方法。
【請求項１６】
前記構成情報は、フィールド・プログラマブル・ゲート・アレイ（ＦＰＧＡ）用の構成データと、ＦＰＧＡおよびその他のカスタム集積回路（ＩＣ）の少なくとも一方においてロジックの有効化および無効化の少なくとも一方を行うチェックサムおよびコードの少なくとも一方と、前記ブロードキャスト・ルータ内のＣＰＵに基づく状態機械の異なる機能性の有効化および無効化の少なくとも一方を行うチェックサムおよびコードの少なくとも一方と、前記ブロードキャスト・ルータ内のＣＰＵに基づくシステムの異なる機能性の有効化および無効化の少なくとも一方を行う実行可能コードとの少なくとも一つを備える、請求項１４記載の方法。
【請求項１７】
前記違いは、少なくとも一つの新機能を追加することと、少なくとも一つの既存機能を除去することとの少なくとも一方に関与する、請求項１４記載の方法。
【請求項１８】
前記構成情報と前記他の構成情報との少なくとも一方の少なくとも一部は、暗号化される、請求項１４記載の方法。
【請求項１９】
ブロードキャスト・ルータであって、
前記ブロードキャスト・ルータへのデータを受信する複数の入力カードと、
前記複数の入力カードからの前記データを受信し、前記ブロードキャスト・ルータ内での転送のために前記データを配置する拡張カードと、
前記ブロードキャスト・ルータ内での後のルート指定のために、前記複数の入力カードからの前記データを受信するマトリクス・カードと、
前記マトリクス・カードからの前記データを受信し、前記ブロードキャスト・ルータから前記データを出力する複数の出力カードと、
少なくとも一つのプログラマブル・デバイスと、
第一の機能セットを実行するように前記少なくとも一つのプログラマブル・デバイスを構成するための構成情報を格納する構成制御カードと、を備え、
前記構成制御カードは、前記ブロードキャスト・ルータの機能性を変更するために、取り外して、前記第一の機能セットとの違いを有する第二の機能セットを実行するように前記少なくとも一つのプログラマブル・デバイスを構成するための他の構成情報を格納する少なくとも一枚の他の構成制御カードと交換するのに適している、ブロードキャスト・ルータ。
【請求項２０】
前記ブロードキャスト・ルータは、スイッチ・ポイントを利用し、
前記複数の入力カードによって受信した前記データは、入力ストリームを含み、
前記一つ以上の機能性は、前記スイッチ・ポイントでのフェーディングと、代替入力ストリームの受信と、リモート・エラー・モニタリングと、信号の混合と、ディジタル・シグナル・プロセッサ（ＤＳＰ）機能の変更および有効化の少なくとも一方と、計測と、ルータ・サイズの変更との少なくとも一つを備える、請求項１９記載のブロードキャスト・ルータ。
【請求項２１】
前記構成情報は、フィールド・プログラマブル・ゲート・アレイ（ＦＰＧＡ）用の構成データと、ＦＰＧＡおよびその他のカスタム集積回路（ＩＣ）の少なくとも一方においてロジックの有効化および無効化の少なくとも一方を行うチェックサムおよびコードの少なくとも一方と、前記ブロードキャスト・ルータ内のＣＰＵに基づく状態機械の異なる機能性の有効化および無効化の少なくとも一方を行うチェックサムおよびコードの少なくとも一方と、前記ブロードキャスト・ルータ内のＣＰＵに基づくシステムの異なる機能性の有効化および無効化の少なくとも一方を行う実行可能コードとの少なくとも一つを備える、請求項１９記載のブロードキャスト・ルータ。
【請求項２２】
前記少なくとも一つのプログラマブル・デバイスは、前記複数の入力カードと前記拡張カードと、前記複数の出力カードとの少なくとも一つに配置される、請求項１９記載のブロードキャスト・ルータ。
【請求項２３】
更に、前記データの入力／出力割り当てを変更するサポート・プロトコルを供給する制御カードを備える、請求項１９記載のブロードキャスト・ルータ。
【請求項２４】
前記少なくとも一つのプログラマブル・デバイスは、少なくとも前記制御カードに配置される、請求項２３記載のブロードキャスト・ルータ。
【請求項２５】
前記構成情報と前記他の構成情報との少なくとも一方の少なくとも一部は、暗号化される、請求項１９記載のブロードキャスト・ルータ。